(57)【要約】【課題】スリーブの取り外し作業がしやすく、また、スリーブの長さや径に応じて保持部の長さや径を変更することができる光ファイバのスリーブホルダを提供する。【解決手段】スリーブホルダ１はスリーブ３の両端を保持する２個の保持体４と、２個の保持体４を固定する本体５とで構成し、２個の保持体４は板状部４ａの表面と裏面とにスリーブ３を保持するための複数の保持部４ｂ，４ｃを形成し、保持部４ｂ，４ｃは表面と裏面とで異なる径のスリーブ３を保持できるように大きさが異なっている。薄型箱状の本体５は対向する２側面に保持体４を係止する弾性係止爪５ａが形成され、保持体４の使用する面を上向きにして弾性係止爪５ａに保持体４の板状部４ａの左右両端縁を係止させて本体５に固定する。【選択図】　　　　図１
2004133141.tif 000002
【特許請求の範囲】
【請求項１】
光ファイバの融着部を被覆して保護するスリーブを保持するためのスリーブホルダにおいて、前記スリーブの両端を保持する２個の保持体と、該２個の保持体を固定する本体とで構成し、前記２個の保持体は板状部の表面と裏面とで径の異なるスリーブを保持する保持部を設け、使用する面を上向きにして間隔をおいて前記本体に固定手段により着脱自在に固定したことを特徴とする光ファイバのスリーブホルダ。
【請求項２】
前記保持体の保持部を光ファイバの保持方向に板状部の中心線からずらして設け、前記本体に反転させて着脱可能にしたことを特徴とする請求項１に記載の光ファイバのスリーブホルダ。
【発明の詳細な説明】
【０００１】
【発明の属する技術分野】
本発明は、光ファイバの融着部を被覆して保護するスリーブを保持するためのスリーブホルダに関する。
【０００２】
【従来の技術】
従来、スリーブホルダとしては、例えば特開２０００−１９３８４３号公報に開示される光ファイバ接続部の固定部材がある。この固定部材（７）は光ファイバ接続部（５）の心線方向に小径ホルダ部（１２ａ）と大径ホルダ部（１２ｂ）とを段違いに設けており、１種類の固定部材（７）で２種類の光ファイバ接続部（５ａ，５ｂ）を保持することができる。
【０００３】
【発明が解決しようとする課題】
しかしながら、この固定部材（７）は大径ホルダ部（１２ｂ）を挟む両側に小径ホルダ部（１２ａ）を設けているため、小径ホルダ部（１２ａ）に保持させたスリーブ（５ａ）はスリーブ（５ａ）の中央を摘めないので取り外しにくいという欠点があった。また、大径ホルダ部（１２ｂ）に長いスリーブ（５ｂ）を保持する場合、スリーブ（５ｂ）の中央だけで保持するので安定感に欠けるという問題があった。また、長いスリーブ（５ｂ）に合わせて大径ホルダ部（１２ｂ）を形成すると短いスリーブ（５ｂ）の着脱がしづらく、小径ホルダ部（１２ａ）は短いスリーブ（５ａ）が保持できなくなるという問題があった。
【０００４】
そこで上記問題点に鑑み、本発明の目的は、スリーブの取り外し作業がしやすく、また、スリーブの長さや径に応じて保持部の長さや径を変更することができる光ファイバのスリーブホルダを提供することである。
【０００５】
【課題を解決するための手段】
上記目的を達成するために、請求項１に記載の発明によれば、光ファイバの融着部を被覆して保護するスリーブを保持するためのスリーブホルダにおいて、スリーブの両端を保持する２個の保持体と、２個の保持体を固定する本体とで構成し、２個の保持体は板状部の表面と裏面とで径の異なるスリーブを保持する保持部を設け、使用する面を上向きにして間隔をおいて本体に固定手段により着脱自在に固定したことを特徴とする。
【０００６】
請求項２に記載の発明によれば、請求項１に記載の光ファイバのスリーブホルダにおいて、保持体の保持部を光ファイバの保持方向に板状部の中心線からずらして設け、本体に反転させて着脱可能にしたことを特徴とする。
【０００７】
【発明の実施の形態】
請求項１に記載の発明によれば、光ファイバの融着部を被覆して保護するスリーブを保持するためのスリーブホルダにおいて、スリーブの両端を保持する２個の保持体と、２個の保持体を固定する本体とで構成し、２個の保持体は板状部の表面と裏面とで径の異なるスリーブを保持する保持部を設け、使用する面を上向きにして間隔をおいて本体に固定手段により着脱自在に固定したことにより、スリーブの取り外し作業がしやすく、また、スリーブの径に応じて保持部の径を変更することができる。
【０００８】
請求項２に記載の発明によれば、請求項１に記載の光ファイバのスリーブホルダにおいて、保持体の保持部を光ファイバの保持方向に板状部の中心線からずらして設け、本体に反転させて着脱可能にしたことにより、スリーブの長さに応じて保持部の間隔を調節でき、確実にスリーブを保持することができる。
【０００９】
【実施例】
本発明に係る光ファイバのスリーブホルダの第１実施例を図１〜図３の添付図面に基づいて説明する。
【００１０】
スリーブホルダ１は光ファイバ２の融着部を被覆して保護するためのスリーブ３の両端を保持する２個の保持体４，４と、２個の保持体４，４を固定する本体５とで構成している。
【００１１】
保持体４は、合成樹脂等により形成され、板状部４ａの表面と裏面とにスリーブ３を保持するための複数の保持部４ｂ，４ｃが設けられ、保持部４ｂ，４ｃは表面と裏面とで異なる径のスリーブを保持できるように大きさが異なっている。径の小さい保持部４ｂには単芯タイプの光ファイバ２のスリーブ３が保持でき、径の大きい保持部４ｃにはテープ芯タイプの光ファイバ２のスリーブ３が保持できるようになっている。
【００１２】
本体５は、合成樹脂等により上面を開口した薄型箱状に形成され、対向する２側面に保持体４の板状部４ａの端縁に係脱可能に係止する弾性係止爪５ａが形成されている。保持体４をこの弾性係止爪５ａに上方から押し込んで係止させることにより固定している。また、弾性係止爪５ａが形成されていない側面には光ファイバ２の心線を整列するための複数の溝孔５ｂが形成されている。溝孔５ｂは幅と深さの大きいものと、幅と深さの小さいものが形成されており、夫々には単芯タイプの光ファイバ２とテープ芯タイプの光ファイバ２が嵌まるようになっている。
【００１３】
光ファイバ２のスリーブ３を保持させるには、スリーブ３の径に応じた保持体４の保持部４ｂ又は４ｃを上向きにして本体５の弾性係止爪５ａに係止させて取り付ける。図１の保持体４は径の小さい保持部４ｂを上向きにして取り付けている。そして、スリーブ３の両端を保持体４の保持部４ｂに嵌合させて保持させる。それから、光ファイバ３の心線を本体５の溝孔５ｂに嵌めて整列させる。本体５の弾性係止爪５ａが形成された側面の上端には４箇所に突片５ｃが突設され、突片５ｃには係合孔５ｄが形成されている。また、夫々の突片５ｃの下方には張出部５ｅが突設され、張出部５ｅには突起５ｆが形成されている。これにより、図３に示すように本体５を多段に積み重ねた際に下段の本体５の突片５ｃの係合孔５ｄに上段の張出部５ｅの突起５ｆが係合可能になっている。最上段の本体５の上面開口は蓋体６によって施蓋する。
【００１４】
保持体４は両端を固定する弾性係止爪５ａを外側方向に広げることにより係止が解除して取り外すことができ、保持体４を裏返して再度取り付けることでスリーブホルダ１に保持するスリーブ３の径を変更することができる。保持部４ｂ，４ｃからスリーブ３を取り外す際、スリーブ３の中央を指で摘む事ができるので取り外し作業がしやすくなっている。
【００１５】
図４及び図５は本発明の第２実施例であり、保持体４の保持部４ｂ，４ｃを光ファイバ２の保持方向に板状部４ａの中心線からずらして設けた点が第１実施例と異なっている。これにより、保持体４の一方又は両方を反転させて本体５に取り付けることにより、２個の保持体４の保持部間の間隔をスリーブ３の長さに応じて変更することができる。
【００１６】
尚、本発明において本体５の弾性係止爪５ａが形成されていない側面に溝孔５ｂを形成したが、図６に示すようにこの側面に開口７を形成しても良いし、図７に示すように開口７にスポンジ８を固着し、スポンジ８に切り込み８ａを形成して光ファイバ２を嵌入保持できるようにしても良い。スポンジ８の切り込み８ａに光ファイバ２を嵌入させて保持させることにより光ファイバ２が保持方向にずれるのを防止することができる。
【００１７】
【発明の効果】
以上説明したように、請求項１に記載の発明によれば、光ファイバの融着部を被覆して保護するスリーブを保持するためのスリーブホルダにおいて、スリーブの両端を保持する２個の保持体と、２個の保持体を固定する本体とで構成し、２個の保持体は板状部の表面と裏面とで径の異なるスリーブを保持する保持部を設け、使用する面を上向きにして間隔をおいて本体に固定手段により着脱自在に固定したことにより、スリーブの取り外し時にスリーブの中央を指で摘むことができるので取り外し作業がしやすく、また、スリーブの径に応じて保持部の径を変更することができるという効果がある。
【００１８】
請求項２に記載の発明によれば、請求項１に記載の光ファイバのスリーブホルダにおいて、保持体の保持部を光ファイバの保持方向に板状部の中心線からずらして設け、本体に反転させて着脱可能にしたことにより、スリーブの長さに応じて保持部の間隔を調節でき、確実にスリーブを保持することができるという効果がある。
【図面の簡単な説明】
【図１】本発明の第１実施例に係るスリーブホルダを示す斜視図である。
【図２】本発明の第１実施例に係るスリーブホルダの保持体を示す斜視図である。
【図３】本発明の第１実施例に係るスリーブホルダを積層した状態を示す斜視図である。
【図４】本発明の第２実施例に係るスリーブホルダの保持体を示す斜視図である。
【図５】本発明の第２実施例に係るスリーブホルダを示す斜視図である。
【図６】本発明に係るスリーブホルダの変形実施例を示す斜視図である。
【図７】本発明に係るスリーブホルダの変形実施例を示す斜視図である。
【符号の説明】
１…スリーブホルダ
２…光ファイバ
３…スリーブ
４…保持体
４ａ…板状部
４ｂ，４ｃ…保持部
５…本体
５ａ…弾性係止爪
５ｂ…溝孔
【図１】
2004133141.tif 000003
【図２】
2004133141.tif 000004
【図３】
2004133141.tif 000005
【図４】
2004133141.tif 000006
【図５】
2004133141.tif 000007
【図６】
2004133141.tif 000008
【図７】
2004133141.tif 000009